(57)【要約】【課題】  自動車のステアリングコラムのロック／アンロック操作中に、ステアリングコラムをロック／アンロックする部材の正確な位置を知ることができる電動ステアリングコラムロック装置を提供する。【解決手段】  この電動ステアリングコラムロック装置は、ステアリングコラムのロックおよびアンロックのために移動するようになっている舌片（３）と、第１の回転軸のまわりに回転して、舌片（３）の移動の制御のために、舌片（３）と協動するようになっているカム歯車（５）とを備えている。この電動ステアリングコラムロック装置は、さらに、カム歯車（５）の回転中に、カム歯車（５）の回転位置を特定するためのアセンブリを備えている。【選択図】図１
2015532235.tif 000002
【特許請求の範囲】
【請求項１】
−  自動車のステアリングコラムのロックおよびアンロックのために移動するようになされている舌片（３）と、
−  第１の回転軸のまわりに回転して、前記舌片（３）の移動の制御のために、前記舌片（３）と協動するようになされているカム歯車（５）
とを備えている、ステアリングコラムのロックおよびアンロックを行うことができる、自動車用の電動ステアリングコラムロック装置であって、
前記カム歯車（５）の回転中に、前記カム歯車（５）の回転位置を特定するためのアセンブリを、さらに備えていることを特徴とする電動ステアリングコラムロック装置。
【請求項２】
前記カム歯車（５）の回転位置を特定するためのアセンブリは、ホール効果位置センサ（６）および磁石（８）を備えていることを特徴とする、請求項１に記載の電動ステアリングコラムロック装置。
【請求項３】
前記磁石（８）は、磁石（８）が、前記カム歯車（５）の回転に正確に従って回転することを可能にするための１つまたはいくつかのブレード（１０）を有する円盤であることを特徴とする、請求項１または２に記載の電動ステアリングコラムロック装置。
【請求項４】
前記電動ステアリングコラムロック装置は、第２の回転軸（１３）のまわりに回転するようになっており、かつ前記カム歯車（５）を回転駆動するために、前記カム歯車（５）と実質的に共通の平面上に配置されている歯車（７）を備えており、前記第１の回転軸（１３）と前記第２の回転軸（１１）とは、互いに平行であり、かつ前記舌片の移動方向（３１）にも平行であることを特徴とする、請求項１〜３のいずれか１つに記載の電動ステアリングコラムロック装置。
【請求項５】
実質的に、前記カム歯車（５）および歯車（７）によって定められる前記共通の平面上に位置している長手方向軸（５）を有するモータ（９）を、さらに備えていることを特徴とする、請求項４に記載の電動ステアリングコラムロック装置。
【請求項６】
前記共通の平面と平行であり、かつ前記カム歯車（５）および歯車（７）の上方に配置されている、平坦なプリント回路板（２１）を、さらに備えていることを特徴とする、請求項４または５に記載の電動ステアリングコラムロック装置。
【請求項７】
前記ホール効果位置センサ（６）は、前記プリント回路板（２１）上に配置されており、かつ前記磁石（８）は、前記カム歯車（５）上に配置されていることを特徴とする、請求項６に記載の電動ステアリングコラムロック装置。
【請求項８】
前記カム歯車（５）は、前記舌片（３）を駆動するための螺旋状の傾斜面（１２）、および前記舌片（３）の移動を、並進移動（３１）に制限するための案内手段（３３）を有していることを特徴とする、請求項５〜７のいずれか１つに記載の電動ステアリングコラムロック装置。
【請求項９】
前記歯車（７）は、前記カム歯車（５）の回転速度およびトルクを適合させるために、前記カム歯車（５）の歯数より少ない歯数を有していることを特徴とする、請求項４〜８のいずれか１つに記載の電動ステアリングコラムロック装置。
【発明の詳細な説明】
【技術分野】
【０００１】
本発明は、電動ステアリングコラムをロックおよびアンロックすることができる、自動車用の電動ステアリングコラムロック装置（ＥＳＣＬとも呼ばれる）に関する。
【背景技術】
【０００２】
自動車に用いられる電動ステアリングコラムロック装置は、通常、ステアリングコラムを不動にするロック位置から、ステアリングコラムを回転可動にするアンロック位置への舌片の移動を制御するためのモータを備えている。
【発明の概要】
【発明が解決しようとする課題】
【０００３】
ステアリングコラムのロックの失敗や、舌片を過度に作動させると、ロック操作によって、ステアリングコラムは、不動化されず、また電動ステアリングコラムロック装置自体が損傷を受ける可能性がある。そのため、このような事態を避けるために、舌片の位置を知る必要があるという課題が存在する。
【課題を解決するための手段】
【０００４】
本発明は、上述の課題を解決するために、次のものを備えている電動ステアリングコラムロック装置を提供するものである。
−  ステアリングコラムのロックおよびアンロックを行うようになされている舌片と、
−  舌片の移動を制御するためのカム歯車と、
−  モータによって制御されて、カム歯車の回転を制御するようになされている歯車と、
−  カム歯車の回転位置を特定するためのアセンブリ。
【０００５】
カム歯車の回転位置の特定によって、舌片の位置が分かる。
【０００６】
位置を正確に知ることの主たる利点は、位置の時間経過に基づいて、速度を計算することができることである。この速度情報を、制動の開始時間の調整に用いることができる。
【０００７】
これによって、いくつかの環境の影響、例えば電源電圧、温度、および経時変化の影響を、それらに関する測定を要することなく、補償したり、最小限に抑えたりすることができる。
【発明の効果】
【０００８】
カム歯車と歯車とは、互いに平行なそれぞれの回転軸を有し、かつ同一の平面上に配置されており、モータも、カム歯車および歯車が配置されている平面上に配置されているため、本発明の電動ステアリングコラムロック装置は、きわめてコンパクトであり、またステアリングコラムのロックおよびアンロックを、信頼性高く、かつ効率的に行いうるという利点を有する。
【図面の簡単な説明】
【０００９】
【図１】本発明による電動ステアリングコラムロック装置の一実施形態の斜視図である。
【図２】図１の電動ステアリングコラムロック装置の、一部の部品を取り除いた状態における斜視図である。
【図３】図１の電動ステアリングコラムロック装置の部分断面図である。
【図４ａ】図１および図２の、カム歯車の回転位置を特定するためのアセンブリの周辺の斜視図である。
【図４ｂ】図１および図２の、カム歯車の回転位置を特定するためのアセンブリの斜視図である。
【図４ｃ】図１および図２の、カム歯車の回転位置を特定するためのアセンブリの周辺の別の斜視図である。
【図４ｄ】図４ｃの、アセンブリの周辺を、別の角度から見た斜視図である。
【発明を実施するための形態】
【００１０】
添付図面に関する以下の説明を読むことによって、本発明の特徴および利点が明瞭になる。
【００１１】
全ての図において、同一の要素には、同一の符号を付してある。
【００１２】
本発明によれば、電動ステアリングコラムロック装置１は、次のものを備えている。
−  ステアリングコラム（図示せず）のロック／アンロックを行うようになされている舌片３と、
−  舌片３の移動を制御するためのカム歯車５と、
−  モータ９によって制御されて、カム歯車５の回転を制御するようになされている歯車７。
【００１３】
カム歯車５、歯車７は、互いに平行なそれぞれの回転軸１３、１１を有し、同一平面上に配置されている。さらに、これらの回転軸１１および１３は、舌片３の移動方向３１と平行である。
【００１４】
モータ９も、カム歯車５と歯車７とによって共通に占められている共通平面上に配置されており、またモータ９の長手方向軸は、この共通平面内に存在している。すなわち、この長手方向軸は、回転軸１１および１３と実質的に直交している。
【００１５】
本発明による電動ステアリングコラムロック装置１は、このような構造を呈しているため、高いコンパクト性を有し、したがって占有空間を節約することができる。
【００１６】
モータ９は、その出力軸上に配置されており、歯車７の歯と噛み合っているウォーム歯車１５を介して、歯車７を作動させる。歯車７の歯に、カム歯車５が保有している歯を噛み合わされているため、歯車７はカム歯車５を回転運動させる。
【００１７】
歯車７の径は、カム歯車５の直径より小さく、またカム歯車５の歯数より少ない歯数しか有していない。したがって、歯車７は、カム歯車５の回転速度およびトルクを調整するための減速ギアとして働く。
【００１８】
別の実施形態（図示せず）として、ウォーム歯車１５が、歯車７の介在なしに、直接にカム歯車５を駆動し、したがって、カム歯車５は、モータ9によって直接に制御されるという形態があり得る。
【００１９】
カム歯車５は、回転軸１３に直交する２つの主面のうちの一方に、螺旋状の傾斜面１２（図２を参照）を有している。舌片３は、弾性手段２７（この例においては、コイルばね）によって、その一部を傾斜面１２に押し当てられて、螺旋状の傾斜面１２に支えられるように配置されており、案内手段３３（この例においては、内部を舌片３が移動する通路を形成している壁）によって、その移動は並進移動に制限されている。螺旋状の傾斜面１２によって駆動されて、舌片３が移動する移動方向３１は、主たる構成要素であるカム歯車５、歯車７、およびモータ９を含む平面と直交している。
【００２０】
カム歯車５が回転すると、舌片３は、螺旋状の傾斜面１２に沿って滑り、その結果、モータ９、歯車７、およびカム歯車５を含む平面に直交する方向に並進移動する。この並進移動によって、ステアリングコラムに係合している舌片３は、ステアリングコラムの回転を阻止しているロック位置から、ステアリングコラムが自由に回転することができるアンロック位置に変位する。
【００２１】
さらに、螺旋状の傾斜面１２は、それぞれに異なる傾斜値を有する複数の傾斜部分（図示せず）を備えている場合がある。各傾斜部分における傾斜値が互いに異なるから、カム歯車５の一定の回転速度における、舌片３の並進移動速度は、傾斜部分ごとに異なる。
【００２２】
このような螺旋状の傾斜面１２の一例においては、傾斜面１２は、舌片３を徐々に移動させる第１低傾斜部分を備えている。第１低傾斜部分に続いて、舌片３をロック位置に急速に移動させるための高傾斜部分、およびステアリングコラムの対応する受け溝の内部に／から舌片３を徐々に滑らせるための第２低傾斜部分が存在する。舌片３は、この受け溝内で、ステアリングコラムをロックするようになっている。
【００２３】
モータ９は、例えば基板上にプリントされている電子回路、いわゆるプリント回路板２１によって制御される。
【００２４】
本発明の電動ステアリングコラムロック装置は、このような構造を呈しているために、プリント回路板２１を、カム歯車５および歯車７の上方に配置することができる。図１に示すように、プリント回路板２１は、カム歯車５および歯車７のそれぞれの回転軸１３および１１に直交し、かつカム歯車５および歯車７の中心を通る面を実質的に平行な平面上に配置されている。プリント回路板２１は、電動ステアリングコラムロック装置１の側面の１つに配置されている場合もある。
【００２５】
プリント回路板２１は、この例においては、モータ９、歯車７、およびカム歯車５が存在する側と反対の側に、銅またはその他の金属から成る電流路がプリントされており、さらに電子素子を実装されている平坦な樹脂本体を有している。
【００２６】
プリント回路板２１は、図示の例においては、上述の主要な構成要素（モータ９、歯車７、およびカム歯車５）が存在する側と反対の側に、特定の命令に基づいてモータ９を駆動するように構成されている電気回路を有している。
【００２７】
プリント回路板２１と、その下方の主要な構成要素（モータ９、歯車７、およびカム歯車５）との間の空間が、利用可能である場合には、プリント回路板２１の他方の側（主要な構成要素が存在する側）に、電気回路の少なくとも一部分が配される場合がある。
【００２８】
本発明による電動ステアリングコラムロック装置１は、ロック動作が電子的になされる電動装置である。
【００２９】
図１〜図３に示すように、ハウジングは、２つのハウジング分割体から成る場合がある。モータ９、歯車７、カム歯車５、舌片３、および弾性手段１３は、２つのハウジング分割体２３ａと２３ｂとの間に挟まれて、ハウジング内に収容されている。
【００３０】
ステアリングコラムに接するようになっている側のハウジング分割体は、Ｚａｍａｃ（登録商標）で作られている場合があり、他方のハウジング分割体は、例えばプラスチック材で作られている場合がある。Ｚａｍａｃ（登録商標）は、亜鉛に、合金化元素のアルミニウム、マグネシウムおよび銅を添加した合金である。
【００３１】
ハウジングは、１つまたは複数の、ネジなどの固定手段２５を受容している。
【００３２】
固定手段２５は、ハウジング内にプリント回路板２１を固定するために用いられる場合がある。
【００３３】
固定手段２５は、ハウジング分割体２３ａと２３ｂとを組み付け合わせるときに、それと並行して、またはそれに加えて、ハウジングにプリント回路板２１を取り付けるために用いられる場合がある。
【００３４】
舌片３は、弾性手段２７（例えばばね）と組み合わされている。このばねが圧縮ばねである場合には、弾性手段２７は、舌片３の移動方向３１に実質的に平行な軸に沿って配置されている。
【００３５】
ばねがねじりばねである場合には、このねじの軸は、舌片３の移動方向３１に対して直角に配置されている。
【００３６】
ハウジングは、１対の案内手段３３を有していることが好ましい。
【００３７】
これらの案内手段３３の内壁は、舌片３に付随している突起（図示せず）を受容するためのリセスを形成している場合がある。このようにすると、舌片３は、ステアリングコラムのロックまたはアンロックのために、移動方向３１に沿って移動するときに、案内手段に沿って摺動することができる。
【００３８】
舌片３は、単一体から成る場合もあるし、いくつかの舌片分割体、例えば図３に示されているように、連結し合って、同じ運動を行う２つの舌片分割体３ａおよび３ｂから成っている場合もある。一方の舌片分割体３ａは、Ｚａｍａｃ（登録商標）またはプラスチック材料で作られる場合があり、ステアリングコラムと係合する他方の舌片分割体３ｂは、堅牢性の確保のために、鋼などの、弾性を有する材料で作られる場合がある。
【００３９】
図示の実施形態においては、舌片分割体３ａのみが、弾性手段２７を受け止めている。
【００４０】
舌片３の移動を制御するカム歯車５は、下部に歯が形成されている歯車である場合もあれば、下部に平歯車を嵌め込まれている歯車である場合もある。舌片分割体の１つ、例えば舌片分割体３ａは、カム歯車５と組み合って、舌片３の移動の制御を可能にしている。
【００４１】
カム歯車５は、回転軸１３のまわりに回転可能である。
【００４２】
歯車７は、回転軸１１のまわりに回転するように構成されている。回転軸１３と１１とは、実質的に互いに平行である。カム歯車５と歯車７とは、実質的に同一平面上に配置されている。これは、回転軸１３および１１に実質的に直交する、歯車７の中央平面が、カム歯車５の中央平面と一致しているということを意味する。
【００４３】
歯車７は、モータ９の回転を、特定のギア比で、カム歯車５に伝える。
【００４４】
カム歯車５は、自身の回転位置を特定するためのアセンブリを備えている。このアセンブリには、通常、複数のＮ極およびＳ極を有する磁石８と組み合わされた、ホール効果位置センサなどのセンサ６が備えられている。センサ６の出力を、カム歯車５を駆動するモータの制御のために、有利に用いることができる。
【００４５】
センサ６は、磁石の位置、詳細には磁極の位置を検出するのに適している限り、いかなる形状を有していてもよい。センサ６は、モータの運動を制御することができる、プリント回路板２１にプリントされている電気回路上に配置されている場合がある。
【００４６】
図示の実施形態においては、磁石８は、１組のＮ極とＳ極とから成る単一の磁気双極子を形成している。図において、２つの磁極Ｎ、Ｓは、それぞれＮ極（北極）、Ｓ極（南極）を表している。
【００４７】
ホール効果位置センサであるセンサ６（プリント回路板２１上に配置されていることが好ましい）は、センサ６と磁石８との間の相対回転位置の既知関数である電圧の値を出力する。センサ６は固定されているから、センサ６は、カム歯車５の回転位置を特定することになる。カム歯車５の回転位置の時間経過を特定することによって、カム歯車５の回転速度を導くことができる。回転速度が分かると、カム歯車５の特定の位置に、正確に到達するように、その時点の回転速度に対する制動装置による制動作用を調節することができる。
【００４８】
したがって、Ｎ極、Ｓ極が、回転軸１３に直交する方向に分極した磁気双極子が、位置測定器として用いられている。
【００４９】
通常、磁石８は、より良いコンパクト性を得ることができるように、カム歯車５の２つの主面のうちの一方上に配置される。したがって、磁石８は、カム歯車５のその主面の形状と相補性を呈し得る、いかなる形状も有することができる。図示のように（図１および図４ａ〜図４ｄを参照）、磁石８は、カム歯車５の回転に正確に従って回転することができ、かつ半径方向に突き出た１つまたはいくつかのブレード１０を有する、実質的に円盤である。磁石８は、本明細書においては、カム歯車５の回転軸の方向と直交する２つの主面のうちの一方上にある、相補的なハウジング内に挿入されている。カム歯車５は、２つの分割体を有する場合がある。第１の分割体は、磁石８を受容するように構成されており、第２の分割体は、歯車やモータによって制御されるように構成されている。
【００５０】
この場合には、カム歯車５の回転速度に応じて、カム歯車５の運動の制動や停止を行うための、例えば電子回路によって制御される制動装置（図示せず）を加えることが可能である。例えばカム歯車５の回転速度が高速になるほど、より速い制動が行われ、カム歯車５の回転速度が低速になるほど、より遅い制動が行われる。
【００５１】
本発明の電動ステアリングコラムロック装置によると、次のことが可能であり、正確な角運動検出と、正確な角度位置検出との両方ができるという利点を有している。
−  ロック用の舌片の位置を制御して、モータ９による過度の駆動を防ぎ、それによって、起こり得る損傷を防ぐための回転速度検出、
−  電動ステアリングコラムロック装置の臨界安全条件の診断機能を改善するための、より優れた妥当性を有する誤差検出、
−  損傷が生じる前にモータ９を停止させるための、ステアリングコラムの不動化状態の迅速な検出（したがって、モータの過負荷が避けられるために熱負荷が低下し、モータのドライバ回路部品を削減することができる可能性も生じる）、
−  モータ9による過度の駆動をもたらす可能性がある、カム歯車５の角度位置の誤想定を避けるための、電圧遮断後においても行われる正確な角度位置検出、および
−  センサの故障の高い診断可能性。
【００５２】
絶対位置を検出するセンサを用いることの利点は、それによって速度制御が可能になること、リアルタイムで位置を知ることができること、および部品が、大きな応力を受ける可能性のある極端な位置に達する前に、モータを停止させることができることである。
【符号の説明】
【００５３】
１  電動ステアリングコラムロック装置
３  舌片
３ａ、３ｂ  舌片分割体
５  カム歯車
６  センサ
７  歯車
８  磁石
９  モータ
１０  ブレード
１１、１３  回転軸
１２  傾斜面
１５  ウォーム歯車
２１  プリント回路板
２３ａ、２３ｂ  ハウジング分割体
２５  固定手段
２７  弾性手段
３１  移動方向
３３  案内手段
【図１】
2015532235.tif 000003
【図２】
2015532235.tif 000004
【図３】
2015532235.tif 000005
【図４ａ】
2015532235.tif 000006
【図４ｂ】
2015532235.tif 000007
【図４ｃ】
2015532235.tif 000008
【図４ｄ】
2015532235.tif 000009
【国際調査報告】
2015532235.tif 000010
2015532235.tif 000011
2015532235.tif 000012